(57)【要約】【課題】給紙側ローラのイニシャライズ動作により排紙ローラ対が逆回転した場合でも、一旦排紙された用紙が排紙装置の内部に巻き込まれることを防止する。【解決手段】給紙側ローラと共有の駆動部により回転駆動され、給紙側ローラのイニシャライズ動作時に逆回転される排紙ローラ対２３と、用紙の排紙方向に沿った排紙ローラ対２３より下流側に位置し、排紙ローラ対２３のニップ部２７を閉止するように延出して先端部が排紙ローラ対２３の一方のローラ２６の外周面に当接されるシート部材２４とを有する。給紙側ローラのイニシャライズ動作時に排紙ローラ対２３が逆回転したとき、一旦排紙された用紙の後端側が排紙ローラ対２３の一方のローラ２６の外周面に当接していた場合でも、その用紙はシート部材２４によりニップ部２７に入り込むことが阻止され、一旦排紙された用紙は排紙装置５の内部に巻き込まれない。【選択図】    図２
2004196452.tif 000002
【特許請求の範囲】
【請求項１】
給紙側ローラと共有の駆動部により回転駆動され、前記給紙側ローラのイニシャライズ動作時に逆回転される排紙ローラ対と、
用紙の排紙方向に沿った前記排紙ローラ対より下流側に位置し、前記排紙ローラ対のニップ部を閉止するように用紙の排紙方向と略直交する向きに延出して先端部が前記排紙ローラ対の一方のローラの外周面に当接され、前記ニップ部を通過して排紙される用紙が当接することにより該用紙の排紙を許容する位置へ撓み自在であるシート部材と、
を有する排紙装置。
【請求項２】
前記シート部材は前記排紙ローラ対の他方のローラの外周面に常時当接され、この他方のローラはアースされている請求項１記載の排紙装置。
【請求項３】
前記他方のローラは、金属製の軸と導電性ゴムのコロ部とを有する請求項２記載の排紙装置。
【請求項４】
前記シート部材はアースされている請求項１ないし３のいずれか一記載の排紙装置。
【請求項５】
画像が形成されている用紙を給紙する給紙装置と、
請求項１ないし４のいずれか一記載の排紙装置と、
前記給紙装置から前記排紙装置に向けて搬送される用紙の画像を読取る画像読取部と、
を有する画像読取装置。
【発明の詳細な説明】
【０００１】
【発明の属する技術分野】
本発明は、排紙装置及びその排紙装置を用いた画像読取装置に関する。
【０００２】
【従来の技術】
従来、給紙装置と排紙装置と画像読取部とを組み合わせた構成の画像読取装置においては、小型化、低価格化等のために、給紙装置の駆動部と排紙装置の駆動部とを共有化し、しかも、駆動部から給紙装置や排紙装置の被駆動部（給紙側ローラや排紙ローラ対）までの間にクラッチ等の機構を省いたものが提案され、実用化されている。
【０００３】
このような画像読取装置では、駆動部からの駆動力により給紙装置の給紙側ローラや排紙装置の排紙ローラ対が駆動され、給紙トレイに載置された原稿が給紙装置により一枚ずつ分離給紙され、分離給紙された原稿が搬送経路上を搬送されるとともにその搬送過程で原稿読取部により画像読取が行われ、画像読取が終了した原稿が排紙装置により排紙トレイ上に排紙される。
【０００４】
また、上述した画像読取装置では、給紙トレイに載置された原稿の画像読取が終了した場合には、給紙装置のイニシャライズ動作、例えば、給紙側ローラの一つであるピックアップローラを初期位置（給紙トレイ上に載置された用紙の押圧を解除する上方位置）に戻す動作を行う。給紙装置においてこのようなイニシャライズ動作を行うと、給紙装置と駆動部を共有している排紙装置では、排紙ローラ対が逆回転（排紙時の回転方向と逆方向に回転）する。
【０００５】
なお、給紙装置のイニシャライズ動作に伴う排紙ローラ対の逆回転の回転量は、給紙側ローラや排紙ローラ対の直径、給紙側ローラと排紙ローラ対との減速比等を考慮すると、２〜３回転になる。給紙装置のイニシャライズ動作に伴って排紙ローラ対が逆回転したとき、排紙された原稿の後端部側が排紙ローラ対の外周面に当接していると、その原稿は逆回転した排紙ローラ対により排紙装置の内部に巻き込まれ、ジャムを生じたり原稿を損傷したりする。
【０００６】
そこで、給紙装置のイニシャライズ動作に伴う排紙ローラ対の逆回転時に原稿が排紙装置の内部に巻き込まれることを防止するため、排紙装置における原稿の排紙方向に沿った排紙ローラ対よりも下流側の位置に、巻き込み防止シートを設けた発明が提案されている（例えば、特許文献１参照）。
【０００７】
【特許文献１】
特開平１１−２５５３９３号公報
【０００８】
【発明が解決しようとする課題】
しかし、上述した特許文献１記載の発明では、排紙された原稿の後端側と排紙ローラ対のニップ部との間に隙間が存在するので、排紙された原稿の後端側が排紙ローラ対の外周面に当接した位置で停止していると、給紙装置のイニシャライズ動作に伴う排紙ローラ対の逆回転時に原稿が排紙ローラ対のニップ部に入り込み、排紙装置の内部に巻き込まれることがある。
【０００９】
特に、排紙された原稿と巻き込み防止シートとが擦れて静電気が発生した場合には、原稿が静電気により巻き込み防止シートに貼付くとともにその原稿の後端側が排紙ローラ対の外周面に当接した位置で停止することが多くなる。
【００１０】
本発明の目的は、給紙側ローラのイニシャライズ動作により排紙ローラ対が逆回転した場合でも、一旦排紙された用紙が排紙装置の内部に巻き込まれることを防止できる排紙装置及びその排紙装置を用いた画像読取装置を提供することである。
【００１１】
【課題を解決するための手段】
請求項１記載の発明の排紙装置は、給紙側ローラと共有の駆動部により回転駆動され、前記給紙側ローラのイニシャライズ動作時に逆回転される排紙ローラ対と、用紙の排紙方向に沿った前記排紙ローラ対より下流側に位置し、前記排紙ローラ対のニップ部を閉止するように用紙の排紙方向と略直交する向きに延出して先端部が前記排紙ローラ対の一方のローラの外周面に当接され、前記ニップ部を通過して排紙される用紙が当接することにより該用紙の排紙を許容する位置へ撓み自在であるシート部材と、を有する。
【００１２】
したがって、給紙側ローラのイニシャライズ動作時に排紙ローラ対が逆回転したとき、一旦排紙された用紙の後端側が排紙ローラ対の一方のローラの外周面に当接していた場合でも、排紙ローラ対のニップ部を閉止するように延出して先端部を排紙ローラ対の一方のローラの外周面に当接させているシート部材により、その用紙がニップ部に入り込むことが阻止される。これにより、給紙側ローラのイニシャライズ動作時に排紙ローラ対が逆回転した場合でも、一旦排紙された用紙が排紙装置の内部に巻き込まれることが防止される。
【００１３】
請求項２記載の発明は、請求項１記載の排紙装置において、前記シート部材は前記排紙ローラ対の他方のローラの外周面に常時当接され、この他方のローラはアースされている。
【００１４】
したがって、シート部材と用紙とが擦れて静電気が発生した場合には、その静電気を排紙ローラ対の他方のローラを介して逃がすことができ、静電気によるシート部材への用紙の貼付きが防止されるとともに静電気による貼付きが原因となって排紙された用紙の後端側が排紙ローラ対の一方のローラに当接した位置で停止することが防止され、給紙側ローラのイニシャライズ動作時に排紙ローラ対が逆回転した場合でも、一旦排紙された用紙が排紙装置の内部に巻き込まれることがより一層防止される。
【００１５】
請求項３記載の発明は、請求項２記載の排紙装置において、前記他方のローラは、金属製の軸と導電性ゴムのコロ部とを有する。
【００１６】
したがって、シート部材と用紙とが擦れて静電気が発生した場合には、その静電気を排紙ローラ対の他方のローラを介してより効率良く逃がすことができ、静電気によるシート部材への用紙の貼付きが防止されるとともに静電気による貼付きが原因となって排紙された用紙の後端側が排紙ローラ対の一方のローラに当接した位置で停止することが防止され、給紙側ローラのイニシャライズ動作時に排紙ローラ対が逆回転した場合でも、一旦排紙された用紙が排紙装置の内部に巻き込まれることがより一層防止される。
【００１７】
請求項４記載の発明は、請求項１ないし３のいずれか一記載の排紙装置において、前記シート部材はアースされている。
【００１８】
したがって、シート部材と用紙とが擦れて静電気が発生した場合には、その静電気をシート部材から効率良く逃がすことができ、静電気によるシート部材への用紙の貼付きが防止されるとともに静電気による貼付きが原因となって排紙された用紙の後端側が排紙ローラ対の一方のローラに当接した位置で停止することが防止され、給紙側ローラのイニシャライズ動作時に排紙ローラ対が逆回転した場合でも、一旦排紙された用紙が排紙装置の内部に巻き込まれることがより一層防止される。
【００１９】
請求項５記載の発明の画像読取装置は、画像が形成されている用紙を給紙する給紙装置と、請求項１ないし４のいずれか一記載の排紙装置と、前記給紙装置から前記排紙装置に向けて搬送される用紙の画像を読取る画像読取部と、を有する。
【００２０】
したがって、この画像読取装置では、給紙装置から給紙されて排紙装置に向けて搬送される用紙の画像がその搬送途中で画像読取部により読取られ、画像の読取りが終了した用紙が排紙装置により排紙される。この画像読取装置では、請求項１ないし４のいずれか一記載の発明の排紙装置を用いているため、請求項１ないし４の発明と同じ作用を奏する。
【００２１】
【発明の実施の形態】
本発明の一実施の形態を図面に基づいて説明する。図１は画像読取装置の内部構造を示す側面図、図２はその要部を拡大して示す側面図、図３はその要部を示す正面図である。
【００２２】
この画像読取装置１は、給紙トレイ２上に載置された画像が形成されている用紙（原稿Ｓ）を給紙する給紙装置３、給紙装置３により給紙された原稿Ｓを排紙トレイ４上に排紙する排紙装置５、給紙装置３から給紙された原稿Ｓが排紙装置５に至るように搬送される搬送経路６、搬送経路６上を搬送される原稿Ｓの画像、又は、コンタクトガラス７上に載置された原稿Ｓの画像を読取る画像読取部８、搬送経路６上に配置されて原稿Ｓを搬送する搬送ローラ対９、１０等により構成されている。
【００２３】
給紙装置３は、給紙側ローラであるピックアップローラ１１、フィードローラ１２、分離ローラ１３等により構成されている。給紙側ローラ１１、１２、１３は、１つの駆動部（図示せず）からの駆動力により回転駆動される。また、ピックアップローラ１１は、原稿Ｓの給紙時には給紙トレイ２上に載置された原稿Ｓを押圧する位置に回動し、原稿Ｓの読取が終了した後には載置された用紙の押圧を解除する上方位置に回動するイニシャライズ動作が行われるように構成されている。ピックアップローラ１１が原稿Ｓを押圧する位置に回動する動作及びイニシャライズ動作も駆動部からの駆動力により行われる。
【００２４】
画像読取部８は、コンタクトガラス７の下方に配置された第１走行体１４、第２走行体１５、結像レンズ１６、結像レンズ１６を通過した光を受光するＣＣＤ（Charge Coupled Device）１７等により構成されている。第１走行体１４は、コンタクトガラス７上に載置された原稿Ｓの画像、又は、搬送経路６上を搬送された原稿Ｓの画像を搬送原稿用コンタクトガラス１８に対向する位置で照明する照明用ランプ１９と第１反射ミラー２０とを有する。第２走行体は、第２反射ミラー２１と第３反射ミラー２２とを有する。照明用ランプ１９からの光が原稿Ｓの画像面に照射されることにより、その反射光が第１反射ミラー２０、第２反射ミラー２１、第３反射ミラー２２により順次反射され、結像レンズ１６によりＣＣＤ１７上に結像されることにより原稿の画像読取が行われる。
【００２５】
なお、コンタクトガラス７上に載置された原稿Ｓの画像を読取る場合には、第１走行体１４と第２走行体１５とは２対１の速度比で副走査方向（図１中における矢印ａ方向）へ走行する。一方、搬送経路６上を搬送される原稿Ｓの画像を読取る場合には、第１走行体１４、第２走行体１５を位置固定に維持され、第１走行体１４は搬送原稿用コンタクトガラス１８の下方に位置している。
【００２６】
排紙装置５は、搬送経路６を搬送されて画像読取部８による画像読取が終了した原稿Ｓを排紙トレイ４上に排紙する装置であり、原稿Ｓを排紙トレイ４上に排紙する向きに回転駆動される排紙ローラ対２３、シート部材２４等により構成されている。
【００２７】
排紙ローラ対２３は、駆動部からの駆動力により回転駆動される他方のローラである排紙ローラ２５と、排紙ローラ２５の外周面に当接されて排紙ローラ２５の回転により連れ回りされる一方のローラである加圧ローラ２６とにより構成されている。排紙ローラ２５と加圧ローラ２６との当接部分には、排紙される原稿Ｓを挟持するニップ部２７が形成されている。排紙ローラ２５を回転駆動させる駆動部は、給紙側ローラ１１、１２、１３を駆動させる上述した駆動部と共有化されている。
【００２８】
排紙ローラ２５は、金属製の軸２５ａと、導電性ゴム製のコロ部２５ｂとにより形成されている。この排紙ローラ２５はアースされている。
【００２９】
加圧ローラ２６は、金属製の軸２６ａと、樹脂製のコロ部２６ｂとにより形成されている。軸２６ａにおけるコロ部２６ｂの両端部には、スポンジ部材により形成されて外周部に複数の突起部２８ａを有し、最大径の部分がコロ部２６ｂより大径であるリング体２８が固定されている。このリング体２８は加圧ローラ２６と一体に回転し、排紙される原稿Ｓの後端部に突起部２８ａが当接することによりその原稿Ｓを排紙トレイ４に向けて蹴り出すように機能する。
【００３０】
シート部材２４は、原稿Ｓの排紙方向に沿った排紙ローラ対２３より下流側に位置し、ニップ部２７の近傍に位置する枠部材２９に固定されている。このシート部材２４は、排紙ローラ対２３のニップ部２７を閉止するように用紙の排紙方向と略直交する向きに排紙ローラ２５側から加圧ローラ２６側へ下向きに延出し、その一部が排紙ローラ２５の外周面に常時当接されるとともに、その先端部が加圧ローラ２６の外周面に当接されている。シート部材２４は、ニップ部２７を通過して排紙される用紙が当接することによりその用紙の排紙を許容する位置へ撓み自在である材料、例えば、ＰＥＴ（ポリエチレンテレフタレート）等により形成されている。シート部材２４は、アースされている。
【００３１】
このような構成において、給紙トレイ２上に載置された原稿Ｓは給紙側ローラ１１、１２、１３により給紙され、搬送経路６上を排紙装置５に向けて搬送され、その搬送過程において画像読取部８により画像の読取りが行われる。
【００３２】
搬送経路６上を搬送された原稿Ｓは排紙ローラ対２３のニップ部２７を通過して次々と排紙トレイ４上に排紙される。排紙される原稿Ｓの先端部は、ニップ部２７を通過した直後にシート部材２４に当接し、シート部材２４をその先端部が加圧ローラ２６の外周面から離反するように撓ませながら排紙される。排紙トレイ４上に排紙された原稿Ｓの枚数が増えてくると、排紙された原稿Ｓの後端側が加圧ローラ２６の外周面やリング体２８の外周部に当接した位置で停止する場合がある。
【００３３】
給紙トレイ２上に載置された原稿Ｓの画像読取が終了した後には、給紙側ローラの一つであるピックアップローラ１１を初期位置（給紙トレイ２上に載置された原稿Ｓの押圧を解除する上方位置）に戻すイニシャライズ動作が行われる。このとき、このイニシャライズ動作を行わせる駆動部を共有している排紙ローラ２５が逆回転する。この逆回転の回転数としては、給紙側ローラ１１、１２、１３や排紙ローラ対２３の直径、給紙側ローラ１１、１２、１３と排紙ローラ対２３との減速比等を考慮すると、２〜３回転になる。ピックアップローラ１１のイニシャライズ動作に伴って排紙ローラ２５が逆回転すると、加圧ローラ２６はその逆回転方向へ連れ回りされ、即ち、排紙ローラ対２３が全体として逆回転することになる。
【００３４】
排紙ローラ対２３の逆回転時において、排紙トレイ４上へ排紙された原稿Ｓの後端側が加圧ローラ２６の外周面やリング体２８の外周部に当接していると、その原稿Ｓはニップ部２７に向けて移動する。
【００３５】
しかし、シート部材２４がニップ部２７を閉止するように延出して先端部を加圧ローラ２６の外周面に当接させているので、ニップ部２７に向けて移動した用紙がニップ部２７に入り込むことが阻止され、その原稿Ｓがニップ部２７を通過して排紙装置５の内部に巻き込まれることが防止される。これにより、一旦排紙された原稿Ｓが排紙ローラ対２３により排紙装置５の内部に巻き込まれてジャムを生じることや、その原稿Ｓが損傷することが防止される。
【００３６】
さらに、シート部材２４はアースされている排紙ローラ２５に常時当接され、及び、シート部材２４もアースされているので、シート部材２４が原稿Ｓと擦れて静電気が発生した場合にはその静電気をアース部分から効率良く逃がすことができ、静電気によるシート部材２４への原稿Ｓの貼付きが防止されるとともにその貼付きが原因となって排紙された原稿Ｓの後端側が加圧ローラ２６やリング体２８に当接した位置で停止することが防止される。このため、ピックアップローラ１１のイニシャライズ動作時に排紙ローラ対２３が逆回転した場合でも、一旦排紙された用紙が排紙装置５の内部に巻き込まれることがより一層防止される。
【００３７】
なお、本実施の形態では、シート部材２４の先端部が当接されるローラとして、加圧ローラ２６を例に挙げて説明したが、排紙ローラ２５と加圧ローラ２６との上下位置を逆転させ、シート部材２４を加圧ローラ２６から排紙ローラ２５側に向けて延出させ、その先端部を排紙ローラ２５の外周面に当接させる構成としてもよい。
【００３８】
【発明の効果】
請求項１記載の発明の排紙装置によれば、給紙側ローラのイニシャライズ動作時に排紙ローラ対が逆回転したとき、一旦排紙された用紙の後端側が排紙ローラの外周面に当接していた場合でも、排紙ローラ対のニップ部を閉止するように延出して先端部を排紙ローラ対の一方のローラの外周面に当接させているシート部材により、その用紙がニップ部に入り込むことを阻止することができ、一旦排紙された用紙が排紙装置の内部に巻き込まれることを防止できる。
【００３９】
請求項２記載の発明によれば、請求項１記載の排紙装置において、前記シート部材は前記排紙ローラ対の他方のローラの外周面に常時当接され、この他方のローラはアースされているので、シート部材と用紙とが擦れて静電気が発生した場合にはその静電気を排紙ローラ対の他方のローラを介して逃がすことができ、静電気によるシート部材への用紙の貼付きを防止できるとともに静電気による貼付きが原因となって排紙された用紙の後端側が排紙ローラ対の一方のローラに当接した位置で停止することを防止でき、一旦排紙された用紙が排紙装置の内部に巻き込まれることをより一層防止できる。
【００４０】
請求項３記載の発明によれば、請求項２記載の排紙装置において、前記他方のローラは、金属製の軸と導電性ゴムのコロ部とを有するので、シート部材と用紙とが擦れて発生した静電気を排紙ローラ対の他方のローラを介してより効率良く逃がすことができる。
【００４１】
請求項４記載の発明によれば、請求項１ないし３のいずれか一記載の排紙装置において、前記シート部材はアースされているので、シート部材と用紙とが擦れて静電気が発生した場合にはその静電気をシート部材から効率良く逃がすことができ、静電気によるシート部材への用紙の貼付きを防止できるとともに静電気による貼付きによって排紙された用紙の後端側が排紙ローラ対の一方のローラに当接した位置で停止することを防止でき、一旦排紙された用紙が排紙装置の内部に巻き込まれることをより一層防止できる。
【００４２】
請求項５記載の発明の画像読取装置によれば、請求項１ないし４のいずれか一記載の排紙装置を有するので、請求項１ないし４の発明と同じ効果を奏する。
【図面の簡単な説明】
【図１】本発明の一実施の形態の画像読取装置の内部構造を示す側面図である。
【図２】その要部を拡大して示す側面図である。
【図３】その要部を示す正面図である。
【符号の説明】
３      給紙装置
５      排紙装置
８      画像読取部
１１〜１３    給紙側ローラ
２３      排紙ローラ対
２４      シート部材
２５      他方のローラ
２５ａ    金属製の軸
２５ｂ    導電性ゴムのコロ部
２６      一方のローラ
２７      ニップ部
【図１】
2004196452.tif 000003
【図２】
2004196452.tif 000004
【図３】
2004196452.tif 000005